(57)【要約】      （修正有）【課題】カートリッジを接続可能なインタフェース部を設け、ヘッドマウントディスプレイの使い勝手を向上する。【解決手段】表示部と、フロント部と、蔓部とを備える。フロント部は、表示部を取り囲むように当該表示部の外周部の少なくとも一部を覆う。蔓部は、フロント部に接続される。蔓部には、カートリッジを接続可能なインタフェース部が設けられる。インタフェース部は、ヘッドマウントディスプレイの利用者に当該ヘッドマウントディスプレイが装着された状態で、鉛直方向下向きに開口されている開口部を有する。【選択図】図２
2017183824.tif 000002
【特許請求の範囲】
【請求項１】
ヘッドマウントディスプレイであって、
表示部と、
前記表示部の外周部の少なくとも一部を取り囲むように形成されたフロント部と、
前記フロント部に接続される蔓部と
を備え、
前記蔓部には、カートリッジを接続可能なインタフェース部が設けられるヘッドマウントディスプレイ。
【請求項２】
前記インタフェース部は、前記ヘッドマウントディスプレイの利用者に当該ヘッドマウントディスプレイが装着された状態で、鉛直方向下向きに開口されている開口部を有する請求項１に記載のヘッドマウントディスプレイ。
【請求項３】
前記蔓部は、第１蔓部と、第２蔓部とで構成され、
前記インタフェース部は、第１インタフェース部と、第２インタフェース部とで構成され、
前記第１蔓部には前記第１インタフェース部が設けられ、前記第２蔓部には前記第２インタフェース部が設けられる請求項１に記載のヘッドマウントディスプレイ。
【請求項４】
前記蔓部は、ヒンジを介して折り畳み自在に前記フロント部に接続され、
前記インタフェース部は、前記蔓部を完全に開いた状態のときに当該蔓部が前記フロント部に対して接する位置である前記蔓部の合口部に設けられる請求項１に記載のヘッドマウントディスプレイ。
【請求項５】
ヘッドマウントディスプレイであって、
表示部と、
前記表示部の外周部の少なくとも一部を取り囲むように形成されたフロント部と、
前記フロント部に接続される蔓部と、を備え、
前記フロント部には、カートリッジを接続可能なインタフェース部が設けられ、
前記インタフェース部は、前記ヘッドマウントディスプレイの利用者に当該ヘッドマウントディスプレイが装着された状態で、前記フロント部における前記利用者の顔面に対面する領域に開口されている開口部を有するヘッドマウントディスプレイ。
【発明の詳細な説明】
【技術分野】
【０００１】
本出願は、ヘッドマウントディスプレイに関する。
【背景技術】
【０００２】
従来、頭部装着型の表示装置がある。
【先行技術文献】
【特許文献】
【０００３】
【特許文献１】特開２０１２−２３１２５９号公報
【発明の概要】
【発明が解決しようとする課題】
【０００４】
上記表示装置は、さらなる使い勝手の向上が望まれている。
【課題を解決するための手段】
【０００５】
１つの態様に係るヘッドマウントディスプレイは、表示部と、前記表示部を取り囲むように当該表示部の外周部の少なくとも一部を覆うフロント部と、前記フロント部に接続される蔓部とを備える。前記蔓部には、カートリッジを接続可能なインタフェース部が設けられる。
【０００６】
他の態様に係るヘッドマウントディスプレイは、ヘッドマウントディスプレイであって、表示部と、前記表示部を取り囲むように当該表示部の外周部の少なくとも一部を覆うフロント部と、前記フロント部に接続される蔓部とを備える。前記フロント部には、カートリッジを接続可能なインタフェース部が設けられる。前記インタフェース部は、前記ヘッドマウントディスプレイの利用者に当該ヘッドマウントディスプレイが装着された状態で、前記フロント部における前記利用者の顔面に対面する領域に開口している。
【図面の簡単な説明】
【０００７】
【図１】図１は、実施形態に係るヘッドマウントディスプレイの外観の概略構成を示す図である。
【図２】図２は、実施形態に係るヘッドマウントディスプレイの機能構成の例を示すブロック図である。
【図３】図３は、実施形態に係るインタフェース部の設置位置の例を示す図である。
【図４】図４は、実施形態に係るインタフェース部の設置位置の例を示す図である。
【図５】図５は、実施形態に係るインタフェース部の開口方向の例を示す図である。
【図６】図６は、実施形態に係るインタフェース部の設置位置及び開口方向の他の例を示す図である。
【図７】図７は、実施形態に係るインタフェース部の設置位置及び開口方向の他の例を示す図である。
【図８】図８は、実施形態に係るヘッドマウントディスプレイヘッドに対する取付け部材の例を示す図である。
【発明を実施するための形態】
【０００８】
本出願に係るヘッドマウントディスプレイの実施形態を、図面を参照しつつ詳細に説明する。本出願に係るヘッドマウントディスプレイの利用者は、例えば、カートリッジをヘッドマウントディスプレイに接続して、カートリッジから特定のコンテンツをヘッドマウントディスプレイに読み込ませることにより、ヘッドマウントディスプレイを介して、種々のサービスの提供を受けることができる。ヘッドマウントディスプレイに接続可能なカートリッジは、ビジネスパーク、ショッピングセンター、ファッションビル、公園、アミューズメント施設、ハイテクパーク、住居用施設など、屋外、屋内を問わず、ヘッドマウントディスプレイを介してサービスを提供可能な種々の施設などから提供されてよい。
【０００９】
図１は、実施形態に係るヘッドマウントディスプレイの外観の概略構成を示す図である。図１に示すように、ヘッドマウントディスプレイ１は、眼鏡型の形状を有し、フロント部１ａ、蔓部１ｂ、蔓部１ｃ、及び支持部１ｄを備える。蔓部１ｂは、例えば、第１蔓部の一例である。蔓部１ｃは、例えば、第２蔓部の一例である。図１に示すヘッドマウントディスプレイ１の形状は一例に過ぎず、頭部装着型のウェアラブル端末としての機能を実現できれば、図１に示す形状には限定されない。
【００１０】
フロント部１ａは、表示部２ａ及び表示部２ｂの外周部の少なくとも一部を取り囲むように形成されている。フロント部１ａは、ヘッドマウントディスプレイ１の利用者がヘッドマウントディスプレイ１を装着したときに、利用者の眼前に配置される部分となる。支持部１ｄは、１対（図示せず）からなり、ヘッドマウントディスプレイ１の利用者がヘッドマウントディスプレイ１を装着したときに、利用者の鼻を挟み込むようにして接する。支持部１ｄは、ヘッドマウントディスプレイ１が利用者に装着されたとき、ヘッドマウントディスプレイ１が利用者の顔を重力方向にずれ落ちることなく、装着姿勢をできるだけ保った状態で支持されることに寄与する。
【００１１】
フロント部１ａには、撮像部３、撮像部４、検出部５、及び操作部６なども設置される。
【００１２】
蔓部１ｂ及び蔓部１ｃは、同様の棒状の形状で形成される。蔓部１ｂ及び蔓部１ｃは、ヘッドマウントディスプレイ１の利用者がヘッドマウントディスプレイ１を装着したときに、利用者の側頭部に沿ってそれぞれ配置される部分となる。蔓部１ｂの一方の端部、及び蔓部１ｃの一方の端部は、それぞれ、ヒンジ（図示せず）を介して折り畳み自在にフロント部１ａに接続される部位となる。蔓部１ｂの他方の端部、及び蔓部１ｃの他方の端部は、それぞれ、ヘッドマウントディスプレイ１の利用者がヘッドマウントディスプレイ１を装着したときに、利用者の耳にあてがわれる部位となる。蔓部１ｂ及び蔓部１ｃも、支持部１ｄと同様に、ヘッドマウントディスプレイ１が利用者に装着されたとき、ヘッドマウントディスプレイ１が利用者の顔を重力方向にずれ落ちることなく、装着姿勢をできるだけ保った状態で支持されることに寄与する。
【００１３】
図２は、実施形態に係るヘッドマウントディスプレイの機能構成の例を示すブロック図である。
【００１４】
図２に示すように、ヘッドマウントディスプレイ１は、表示部２ａ、表示部２ｂ、撮像部３、撮像部４、検出部５、操作部６、通信部７、記憶部８、制御部９、及びインタフェース部１０を備えて構成される。
【００１５】
表示部２ａ及び表示部２ｂは、液晶ディスプレイ（Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏ−Ｌｕｍｉｎｅｓｃｅｎｃｅ）パネルなどの半透過または透過の表示デバイスを有することができる。表示部２ａ及び表示部２ｂは、制御部９から入力される制御信号に従って各種の情報を表示する。表示部２ａ及び表示部２ｂは、レーザ光線等の光源を用いて利用者の網膜に画像を投影する投影装置であってもよい。
【００１６】
撮像部３及び撮像部４は、ＣＣＤ（Ｃｈａｒｇｅ  Ｃｏｕｐｌｅｄ  Ｄｅｖｉｃｅ  Ｉｍａｇｅ  Ｓｅｎｓｏｒ）、或いはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などのイメージセンサを用いて電子的に画像を撮像する。撮像部３及び撮像部４は、撮像した画像を信号に変換して制御部９へ出力する。撮像部３は、例えば、ヘッドマウントディスプレイ１を装着した利用者の前景を撮影するアウトカメラである。撮像部４は、例えば、ヘッドマウントディスプレイ１を装着した利用者を撮影するインカメラである。
【００１７】
検出部５は、種々の検出を実行する。検出部５は、可視光、赤外線、紫外線、電波、音波、磁気、静電容量の少なくとも１つを用いて、検出対象、及び検出対象の状態変化などを検出できる。検出対象は、静止物、移動物、生物、及び非生物を含む。
【００１８】
操作部６は、ヘッドマウントディスプレイ１の起動、停止、動作設定を含む各種設定の変更などの操作入力を利用者から受け付ける。操作部６は、利用者から受け付けた操作入力を信号に変換して制御部９へ出力する。
【００１９】
通信部７は、他の装置との間で通信できる。通信部７は、例えば、所定の通信プロトコルを用いて、他のヘッドマウントディスプレイ、あるいは施設内に設置される施設サーバなどとの間でやり取りされる各種情報を送受信できる。通信部７は、他のヘッドマウントディスプレイとの間で通信接続できる。通信部７は、近距離無線の通信規格の１つ又は複数をサポートできる。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。
【００２０】
記憶部８は、プログラム及びデータなどを記憶する。記憶部８に記憶されるプログラムには制御プログラム８０が含まれる。記憶部８に記憶されるアプリケーションには、施設アプリケーション８１が含まれる。記憶部８に記憶されるデータには、制御用データ８２及びカートリッジデータ８３が含まれる。
【００２１】
記憶部８は、制御部９の処理結果を一時的に記憶する作業領域として利用されてもよい。記憶部８は、半導体記憶媒体、及び磁気記憶媒体等の任意の非一過的（ｎｏｎ−ｔｒａｎｓｉｔｏｒｙ）な記憶媒体で構成されてよい。記憶部８は、複数の種類の記憶媒体を含んでよい。記憶部８は、メモリカード、光ディスク、又は光磁気ディスク等の記憶媒体と、記憶媒体の読み取り装置との組み合わせを含んでよい。記憶部８は、ＲＡＭ（Ｒａｎｄｏｍ  Ａｃｃｅｓｓ  Ｍｅｍｏｒｙ）などの一時的な記憶領域として利用される記憶装置を含んでよい。記憶部８に記憶されるプログラムには、アプリケーションの動作を支援するプログラム（図示略）が含まれてよい。記憶部８に記憶されるプログラムは、無線通信あるいは有線通信によってサーバなどの他の装置から取得されてよい。
【００２２】
制御プログラム８０は、ヘッドマウントディスプレイ１の各種制御に関する機能を提供する。制御プログラム８０が提供する機能には、検出処理部８０ａ及び表示制御部８０ｂが含まれる。
【００２３】
検出処理部８０ａは、検出部５の検出結果に基づいて、ヘッドマウントディスプレイ１の各種制御を実行するための機能を提供する。表示制御部８０ｂは、表示部２ａ及び表示部２ｂの表示制御を実行するための機能を提供する。
【００２４】
施設アプリケーション８１は、例えば、ヘッドマウントディスプレイ１の利用者が、ヘッドマウントディスプレイ１を介して、施設内に設置される設備及び機器などを利用するための機能を提供するアプリケーションである。例えば、アミューズメントパークである場合、アミューズメントパークの地図などのアミューズメントパークに関する各種情報を表示したり、アミューズメントパーク内に設置される各種アトラクションで遊戯する際の動画像及び音声などを出力したりするためのアプリケーションに該当する。
【００２５】
制御用データ８２は、制御プログラム８０により提供される機能により実行されるヘッドマウントディスプレイ１の各種制御に用いられるデータである。
【００２６】
カートリッジデータ８３は、インタフェース部１０に接続されたカートリッジ１０００から取得されたデータである。例えば、アミューズメントパークである場合、カートリッジデータ８３は、施設アプリケーション８１が、アトラクションにおけるゲームの進行に応じて、動画像及び音声などをヘッドマウントディスプレイ１に出力するために用いられる。
【００２７】
制御部９は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んで構成されてよいが、これらを含んで構成される場合に限定されない。制御部９は、ヘッドマウントディスプレイ１の動作を統括的に制御して各種の機能を実現する。具体的には、制御部９は、記憶部８に記憶されている制御用データ８２を必要に応じて参照しつつ、記憶部８に記憶されている制御プログラム８０に含まれる命令を実行することにより、ヘッドマウントディスプレイ１の各種制御を実現する。
【００２８】
インタフェース部１０は、カートリッジ１０００の挿入を受け付けて接続可能な状態で開口している。インタフェース部１０は、カートリッジ１０００が接続されると、カートリッジ１０００が接続された旨を制御部９に通知するための接続検知信号を制御部９へ出力する。インタフェース部１０は、接続されたカートリッジ１００から、カートリッジ１００に記憶されているデータを取得し、取得したデータを制御部９へ出力する。
【００２９】
以下、図３〜図７を用いて、ヘッドマウントディスプレイが備えるインタフェース部の設置位置及び開口部の開口方向の例を説明する。図３及び図４は、実施形態に係るインタフェース部の設置位置の例を示す図である。図５は、実施形態に係るインタフェース部の開口方向の例を示す図である。図６及び図７は、実施形態に係るインタフェース部の設置位置及び開口方向の他の例を示す図である。
【００３０】
図３に示すように、ヘッドマウントディスプレイ１は、蔓部１ｂの端部のうちフロント部１ａに接続されていない端部付近１ｂ−１、及び蔓部１ｃの端部のうちフロント部１ａに接続されていない端部付近１ｃ−１に、インタフェース部１０をそれぞれ設置することができる。あるいは、図４に示すように、ヘッドマウントディスプレイ１は、蔓部１ｂの中央付近１ｂ−２及び蔓部１ｃの中央付近１ｃ−２にインタフェース部１０をそれぞれ設置することもできる。ヘッドマウントディスプレイ１は、例えば、フロント部１ａが、撮像部３、撮像部４、検出部５、及び操作部６などを備えることにより、蔓部１ｂ、１ｃに比べて重たい場合に、蔓部１ｂ（又は蔓部１ｃ）にカートリッジ１０００を接続させることで、当該蔓部１ｂ（又は１ｃ）の重さをフロント部１ａの重さに近づけることができ、装着感を向上させることができる。
【００３１】
また、インタフェース部１０を蔓部１ｂ及び蔓部１ｃに設置する場合、インタフェース部１０は、ヘッドマウントディスプレイ１の利用者Ｕ１（図５参照）に当該ヘッドマウントディスプレイ１が装着された状態であるときに鉛直方向下向きに開口している。このような構成により、ヘッドマウントディスプレイ１は、インタフェース部１０が有する開口部（外部に開口した部分）から粉塵等が入り込むことを防止できる。
【００３２】
図５を用いて、インタフェース部１０が開口している方向について説明する。図５に示す座標軸のｘ１軸、ｙ１軸、及びｚ１軸はそれぞれが互いに直交しているものとする。図５に示す例において、ヘッドマウントディスプレイ１のフロント部１ａの長手方向は、図５に示す座標軸のｘ１軸方向に平行な方向と一致しているものとする。インタフェース部は、カートリッジ１０００をヘッドマウントディスプレイ１に挿入して接続することが可能な向きに開口している。図５に示す例では、同図には明示されていないが、インタフェース部１０が、例えば、鉛直方向下向きの方向、すなわち、ｙ１軸の負の方向に平行な方向に開口されている。
【００３３】
ヘッドマウントディスプレイ１は、図３及び図４に示すように、蔓部１ｂ及び蔓部１ｃにインタフェース部１０をそれぞれ設置してもよいし、蔓部１ｂ及び蔓部１ｃのいずれか一方に設置してもよい。蔓部１ｂ及び蔓部１ｃにインタフェース部１０をそれぞれ設置する場合、蔓部１ｂに設置されるインタフェース部１０は、第１インタフェース部の一例であり、蔓部１ｃに設置されるインタフェース部１０は、第２インタフェース部の一例である。
【００３４】
図６を用いて、インタフェース部の設置位置及び開口方向の他の例を説明する。図６に示す座標軸のｘ２軸、ｙ２軸、及びｚ２軸はそれぞれが互いに直交しているものとする。図６に示す例において、ヘッドマウントディスプレイ１のフロント部１ａの長手方向は、図６に示す座標軸のｘ２軸方向に平行な方向と一致しているものとする。図６に示すように、ヘッドマウントディスプレイ１は、蔓部１ｃを完全に開いた状態のときに当該蔓部１ｃがフロント部１ａに対して接する位置である当該蔓部１ｃの合口部１ｃ−ｘにインタフェース部１０を設置することもできる。インタフェース部１０は、カートリッジ１０００を挿入して接続可能な状態で開口している。図６に示す例では、インタフェース部１０が、図６に示す座標軸のｚ２軸の正の方向に平行な方向に向かって開口している状態を示している。このような構成により、ヘッドマウントディスプレイ１は、蔓部１ｃを完全に開いた状態のときに、インタフェース部１０の開口部がフロント部１ａにより塞がれるため、カートリッジ１０００を外部の衝撃などから保護することができる。
【００３５】
また、図６に示す例において、ヘッドマウントディスプレイ１は、蔓部１ｂ（又は蔓部１ｃ）における、当該蔓部１ｂ（又は蔓部１ｃ）の長手方向に開口されている開口部を有するものとして規定されてもよい。
【００３６】
図７を用いて、インタフェース部の設置位置及び開口方向の他の例を説明する。図７に示す座標軸のｘ３軸、ｙ３軸、及びｚ３軸はそれぞれが互いに直交しているものとする。図７に示す例において、ヘッドマウントディスプレイ１のフロント部１ａの長手方向は、図７に示す座標軸のｘ３軸方向に平行な方向と一致しているものとする。図７に示すように、ヘッドマウントディスプレイ１は、フロント部１ａにおける利用者の顔面に対面する領域１ａ−１にインタフェース部１０を設置することもできる。インタフェース部１０は、カートリッジ１０００を挿入して接続可能な状態で開口している。図７に示す例では、インタフェース部１０が、図７に示す座標軸のｚ３軸の正の方向に平行な方向に向かって開口している状態を示している。このような構成により、ヘッドマウントディスプレイ１は、カートリッジ１０００がインタフェース部１０に接続された状態で、当該カートリッジ１０００を外部の衝撃などから保護することができる。
【００３７】
図８は、実施形態に係るヘッドマウントディスプレイヘッドに対する取付け部材の例を示す図である。図８に示すように、ヘッドマウントディスプレイ１は、例えば、蔓部１ｂなどにカバー部材５０を取り付け可能な構成としてもよい。カバー部材５０は、例えば、蔓部１ｂを完全に覆うことができる構造を有している。カバー部材５０は、蔓部１ｂにインタフェース部１０を設置する場合、インタフェース部１０が有する開口部から粉塵等が入り込むことを防止できる。
【００３８】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００３９】
１  ヘッドマウントディスプレイ
２ａ，２ｂ  表示部
３，４  撮像部
５  検出部
６  操作部
７  通信部
８  記憶部
９  制御部
１０  インタフェース
１０００  カートリッジ
【図１】
2017183824.tif 000003
【図２】
2017183824.tif 000004
【図３】
2017183824.tif 000005
【図４】
2017183824.tif 000006
【図５】
2017183824.tif 000007
【図６】
2017183824.tif 000008
【図７】
2017183824.tif 000009
【図８】
2017183824.tif 000010